(57)【要約】【課題】簡易な作業によって仮設収納箱を所定位置に仮設することができるエスカレーターの保守作業用仮設収納箱装置を得る。【解決手段】保守作業時に複数の踏段１の上に収納箱８を置き、収納箱８の底面に設けた支持台１０の掛合片を踏段１の桟７の相互間に嵌合する。そして、掛合片と踏段１の桟７が相互に嵌合し、それらの静止摩擦力によって安定した状態に収納箱８を複数の踏段１の上に仮設することができる。このような構成によって、収納箱８に重量物を収納した場合であっても仮設した収納箱８を容易に所定位置に保持することができる。そして、複数の踏段１上の所定位置に煩雑な手数を要することなく、収納箱８を容易に安定した状態に仮設することができて保守作業能率を向上する。【選択図】　　　　図１
2004043065.tif 000002
【特許請求の範囲】
【請求項１】
エスカレーターが停止したときに連続して配置される複数の踏段の上に傾斜して配置される細長形状の収納箱と、この収納箱の長手両端にそれぞれ設けられて上面が上記収納箱の底面に装着され、下面には水平面が形成された支持台と、この支持台の下面に設けられて下方に突設され、上記踏段に設けられた桟の相互間に嵌合する掛合片とを備えたエスカレーターの保守作業用仮設収納箱装置。
【請求項２】
収納箱の底面及び支持台に挿通されて、上記支持台を上記収納箱に対して上記収納箱の底面に直交した軸線の回りに回動自在に装着する枢着具を備えたことを特徴とする請求項１記載のエスカレーターの保守作業用仮設収納箱装置。
【請求項３】
収納箱の内部を区画して少なくとも長尺部品及び小物部品に対応した複数の収納スペースを形成した仕切り板を備えたことを特徴とする請求項１及び請求項２のいずれか一つに記載のエスカレーターの保守作業用仮設収納箱装置。
【発明の詳細な説明】
【０００１】
【発明の属する技術分野】
この発明は、保守作業時に踏段上に仮設されて保守用部品、機材等を仮置きするエスカレーターの保守作業用仮設収納箱装置に関する。
【０００２】
【従来の技術】
図５は、例えば特開平８−５３２８３号公報に示された従来のエスカレーターの保守作業用仮設収納箱装置の仮設状態を示す斜視図である。図において、１はエスカレーターが停止したときに連続して配置される複数の踏段、２は複数の踏段１の上方の踏段（図示しない）のステップ軸で、上記上方の踏段の本体が取り外されることによってエスカレーターの主枠（図示しない）の所定位置に取り残される。
【０００３】
３は上部の複数の踏段１の上に仮置きされた工具箱、４は一端がステップ軸２に他端は工具箱３に掛合されたフック、５は細長形状の収納箱で、工具箱３に蝶番によって連結されて複数の踏段１の上に傾斜して仮設されて長尺機材、長尺部品（ともに図示しない）が収納される。６は工具箱３及び収納箱５からなる仮設収納箱である。
【０００４】
従来のエスカレーターの保守作業用仮設収納箱装置は上記のように構成され、保守作業時に上部の複数の踏段１の上に工具箱３が仮置きされ、フック４を介して主枠に取り残されたステップ軸２に連結されて上部の複数の踏段１に保持される。そして、工具箱３に連結された収納箱５が複数の踏段１の上に傾斜して仮設されて所定位置に保持され、仮設収納箱６にエスカレーターの保守用部品、機材等が収納される。これにより、保守用部品、機材等を使用してエスカレーターの保守作業が行われる。
【０００５】
【発明が解決しようとする課題】
上記のような従来のエスカレーターの保守作業用仮設収納箱装置では、仮設収納箱６の仮設に先立って複数の踏段１の上方の踏段の本体を取り外してステップ軸２を露出させる。次いで、ステップ軸２にフック４の一端を掛合して仮設収納箱６を複数の踏段１の上に置く。
【０００６】
そして、フック４の他端を仮設収納箱６に掛合して仮設収納箱６が仮設される。しかし、踏段の本体を取り外すにはエスカレーターの長尺部品であるインナーデッキを取り外す必要がある。しかし、取り外した長尺部品をエスカレーターの乗降口付近の適所まで運ぶことになり、煩雑な手数が掛かって保守作業能率が低下するという問題点があった。
【０００７】
この発明は、かかる問題点を解消するためになされたものであり、簡易な作業によって仮設収納箱を所定位置に容易に仮設することができるエスカレーターの保守作業用仮設収納箱装置を得ることを目的とする。
【０００８】
【課題を解決するための手段】
この発明に係るエスカレーターの保守作業用仮設収納箱装置においては、エスカレーターが停止したときに連続して配置される複数の踏段の上に傾斜して配置される細長形状の収納箱と、この収納箱の長手両端にそれぞれ設けられて上面が収納箱の底面に装着され、下面には水平面が形成された支持台と、この支持台の下面に設けられて下方に突設されて、踏段に設けられた桟の相互間に嵌合する掛合片とが設けられる。
【０００９】
また、この発明に係るエスカレーターの保守作業用仮設収納箱装置においては、収納箱の底面及び支持台に挿通されて、支持台を収納箱に対して収納箱の底面に直交した軸線の回りに回動自在に装着する枢着具が設けられる。
【００１０】
また、この発明に係るエスカレーターの保守作業用仮設収納箱装置においては、収納箱の内部を区画して少なくとも長尺部品及び小物部品に対応した複数の収納スペースを形成した仕切り板が設けられる。
【００１１】
【発明の実施の形態】
実施の形態１．
図１〜図４は、この発明の実施の形態の一例を示す図で、図１は仮設収納箱装置の仮設状態を示す斜視図、図２は図１の仮設収納箱装置の平面図、図３は図１における仮設収納箱装置の下端部の側面図、図４は図１における仮設収納箱装置の下端部の正面図である。図において、１はエスカレーターが停止したときに連続して配置される複数の踏段で、水平に配置された踏み面、すなわち上面に多数の桟７が互いに離れて立設されている。
【００１２】
８は複数の踏段１の上に傾斜して配置される細長形状の収納箱で、内部が仕切り板９によって区画されて長尺部品、小物部品、保守用工具、保守用機材等に対応した複数の収納スペースが形成されている。１０は支持台で、側面において楔形状をなし収納箱８の長手両端にそれぞれ設けられて、上面１１が収納箱８の底面に対向して配置され下面１２には水平面が形成されている。
【００１３】
１３は掛合板で、支持台１０の下面１２に装着されて、突条形状をなし踏段１の桟７の相互間に嵌合する掛合片１４が下方に突設されている。１５は連結ピンからなる枢着具で、収納箱８の底面及び支持台１０の上面１１に挿通されて、支持台１０を収納箱８に対して収納箱８の底面に直交した軸線の回りに回動自在に装着する。
【００１４】
上記のように構成されたエスカレーターの保守作業用仮設収納箱装置において、保守作業時に複数の踏段１の上に収納箱８が配置されて、支持台１０の底面に設けられた掛合板１３の掛合片１４が踏段１の桟７の相互間に嵌合され、収納箱８が複数の踏段１の上に仮設される。
【００１５】
そして、掛合板１３の掛合片１４と踏段１の桟７の両者が相互に嵌合することによる上記両者の静止摩擦力によって、仮設された収納箱８が複数の踏段１の上に安定した状態に配置される。したがって、収納箱８に重量物を収納した場合であっても収納箱８を容易に所定位置に保持することができる。また、収納箱８の長手両端にそれぞれ設けた支持台１０が枢着具１５によってそれぞれ回動自在に装備される。このため、収納箱８に対してそれぞれの支持台１０底面の掛合板１３もそれぞれ回動可能に配置される。
【００１６】
これにより、収納箱８の長手が踏段１の桟７の長手に対して傾斜して配置された場合であっても、掛合板１３を収納箱８に対してそれぞれ適宜に回動することよって掛合片１４を踏段１の桟７の相互間に容易に掛合することができる。以上説明した構成によって、複数の踏段１上の所定位置に煩雑な手数を要することなく容易に収納箱８を安定した状態に仮設することができる。また、複数の踏段１に収納箱８を容易に着脱することができるので、保守作業能率を向上することができる。
【００１７】
また収納箱８の内部に、仕切り板９によって区画されて長尺部品、小物部品、保守用工具、保守用機材等に対応した複数の収納スペースが形成される。このため、保守作業時の各種部品、機材を分類して整然と収納することができ、保守作業能率を向上することができる。
【００１８】
【発明の効果】
この発明は以上説明したように、エスカレーターが停止したときに連続して配置される複数の踏段の上に傾斜して配置される細長形状の収納箱と、この収納箱の長手両端にそれぞれ設けられて上面が収納箱の底面に装着され、下面には水平面が形成された支持台と、この支持台の下面に設けられて下方に突設されて、踏段に設けられた桟の相互間に嵌合する掛合片とを設けたものである。
【００１９】
これによって、保守作業時に複数の踏段の上に収納箱が配置されて、支持台の底面に設けられた掛合板の掛合片が踏段の桟の相互間に嵌合され、収納箱が複数の踏段の上に仮設される。そして、掛合板の掛合片と踏段の桟の両者が相互に嵌合することによる上記両者の静止摩擦力によって、仮設された収納箱が安定した状態に複数の踏段の上に仮設される。したがって、収納箱に重量物を収納した場合であっても収納箱を容易に所定位置に保持することができる。そして、複数の踏段上の所定位置に煩雑な手数を要することなく容易に収納箱を安定した状態に仮設することができて、保守作業能率を向上する効果がある。
【００２０】
また、この発明は以上説明したように、収納箱の底面及び支持台に挿通されて、支持台を収納箱に対して収納箱の底面に直交した軸線の回りに回動自在に装着する枢着具を設けたものである。
【００２１】
これによって、収納箱の長手が踏段の桟の長手に対して傾斜して配置された場合であっても、掛合片が設けられた掛合板を収納箱に対してそれぞれ適宜に回動することよって掛合片を踏段の桟に容易に嵌合することができる。したがって、複数の踏段上の所定位置に煩雑な手数を要することなく容易に収納箱を安定した状態に仮設することができ、また複数の踏段に収納箱を容易に着脱することができ保守作業能率を向上する効果がある。
【００２２】
また、この発明は以上説明したように、収納箱の内部を区画して少なくとも長尺部品及び小物部品に対応した複数の収納スペースを形成した仕切り板を設けたものである。
【００２３】
これによって、収納箱の内部に、仕切り板によって区画されて少なくとも長尺部品及び小物部品に対応した複数の収納スペースが収納箱の内部に形成される。このため、保守作業時の各種部品、機材を分類して整然と収納することができ、保守作業能率を向上する効果がある。
【図面の簡単な説明】
【図１】この発明の実施の形態１を示す図で、仮設収納箱装置の仮設状態を示す斜視図。
【図２】図１の仮設収納箱装置の平面図。
【図３】図１における仮設収納箱装置の下端部の側面図。
【図４】図１における仮設収納箱装置の下端部の正面図。
【図５】従来のエスカレーターの保守作業用仮設収納箱装置の仮設状態を示す斜視図。
【符号の説明】
１　複数の踏段、７　桟、８　収納箱、９　仕切り板、１０　支持台、１１上面、１２　下面、１４　掛合片、１５　枢着具。
【図１】
2004043065.tif 000003
【図２】
2004043065.tif 000004
【図３】
2004043065.tif 000005
【図４】
2004043065.tif 000006
【図５】
2004043065.tif 000007